(57)【要約】【課題】  使用済みの樹脂フィルムに付いた泥等を洗浄水を使わないでも十分に洗浄できる洗浄機を提供する。【解決手段】  洗浄機１は、高速回転するドラム３と、このドラム３から突出する多数の回動突起７と、ドラム３のまわり画成される洗浄空間８と、この洗浄空間８の一端部に開口して農ポリを導入する入口２と、洗浄空間８の他端部に開口して農ポリの破砕片を排出する出口４と、洗浄空間８のまわりに配置される上下のフィルタと、このフィルタを通過した分離物を吸引する上下の吸引口１１，１２とを備える。【選択図】    図５
2005081614.tif 000002
【特許請求の範囲】
【請求項１】
高速回転するドラムと、
このドラムから突出する多数の回動突起と、
ドラムのまわり画成される洗浄空間と、
この洗浄空間に樹脂フィルムを導入する入口と、
洗浄空間から樹脂フィルムを排出する出口と、
洗浄空間のまわりに配置されるフィルタと、
このフィルタを通過した分離物を吸引する吸引口とを備えたことを特徴とする樹脂フィルムの洗浄機。
【請求項２】
前記洗浄空間に突出する多数の固定突起を備えたことを特徴とする請求項１に記載の樹脂フィルムの洗浄機。
【請求項３】
前記固定突起を前記各回動突起の間に突出するように配置したことを特徴とする請求項２に記載の樹脂フィルムの洗浄機。
【請求項４】
前記フィルタは前記洗浄空間に沿って断面円弧状に湾曲した基板と、
この基板に形成された開口部に介装される多孔板と、
隣り合う多孔板の間に残された支持板部とを備え、
多孔板と支持板部をフィルタの周方向と軸方向のそれぞれについて交互に並ぶ千鳥状に配置したことを特徴とする請求項１から３のいずれか一つに記載の樹脂フィルムの洗浄機。
【請求項５】
前記洗浄空間を囲むケースを開閉可能な上ケースと下ケースに分割して設けたことを特徴とする請求項１から４のいずれか一つに記載の樹脂フィルムの洗浄機。
【発明の詳細な説明】
【技術分野】
【０００１】
本発明は、樹脂フィルムを再利用するための洗浄機の改良に関するものである。
【背景技術】
【０００２】
畑等で使用された使用済みの農業用のポリエチレン製フィルム、ビニール製フィルム等を再生する場合、フィルムに付いた泥等の汚れを洗浄する必要があった。
【０００３】
従来、この種の再生装置として、図７に示すように、破砕されたフィルム廃棄物から汚泥等の異物を分離除去する水洗式の洗浄機１０１を備えるものがあった。この洗浄機１０１は、円筒形の洗浄槽１０２と、洗浄槽１０２内に入れられた洗浄液とフィルム廃棄物と旋回させるロータ１０３と、洗浄済みのフィルム廃棄物を外部に取り出す取出パイプ１０４と、取出パイプ１０４中に取付けられた開閉弁１０５とからなる。ロータ１０３が回転すると、投入されたフィルム片が水槽１０２内の洗浄液と一緒に旋回流動し、フィルム廃棄物に付いた汚れを落とすようになっている。
【特許文献１】特開２００１−１７０９３７号公報
【発明の開示】
【発明が解決しようとする課題】
【０００４】
しかしながら、このような水洗式の洗浄機１０１はフィルム廃棄物を洗浄するのに大量の洗浄水を使うため、洗浄水を浄化処理する設備や、洗浄後のフィルム廃棄物を乾燥させる設備が必要となり、設備コスト及びランニングコストが高くなるという問題点があった。
【０００５】
本発明は上記の問題点に鑑みてなされたものであり、使用済みの樹脂フィルムに付いた泥等を洗浄水を使わないでも十分に洗浄できる洗浄機を提供することを目的とする。
【課題を解決するための手段】
【０００６】
第１の発明は、樹脂フィルムの洗浄機において、高速回転するドラムと、このドラムから突出する多数の回動突起と、ドラムのまわり画成される洗浄空間と、この洗浄空間に樹脂フィルムを導入する入口と、洗浄空間から樹脂フィルムを排出する出口と、洗浄空間のまわりに配置されるフィルタと、このフィルタを通過した分離物を吸引する吸引口とを備えたことを特徴とするものとした。
【０００７】
第２の発明は、第１の発明において、洗浄空間に突出する多数の固定突起を備えたことを特徴とするものとした。
【０００８】
第３の発明は、第２の発明において、固定突起を各回動突起の間に突出するように配置したことを特徴とするものとした。
【０００９】
第４の発明は、第１から第３のいずれか一つの発明において、フィルタは洗浄空間に沿って断面円弧状に湾曲した基板と、この基板に形成された開口部に介装される多孔板と、隣り合う多孔板の間に残された支持板部とを備え、多孔板と支持板部をフィルタの周方向と軸方向のそれぞれについて交互に並ぶ千鳥状に配置したことを特徴とするものとした。
【００１０】
第５の発明は、第１から第４のいずれか一つの発明において、洗浄空間を囲むケースを開閉可能な上ケースと下ケースに分割して設けたことを特徴とするものとした。
【発明の効果】
【００１１】
第１の発明によると、樹脂フィルムが入口から洗浄空間を通って出口へと向かう過程で、破砕片が回動突起に衝突し、この衝突時に生じる衝撃摩擦力によって破砕片の表面に付いた汚れが剥離される。
【００１２】
樹脂フィルムから剥離した汚れからなる粉塵は洗浄空間を囲むフィルタを通して吸引される。フィルタが洗浄空間に面して設けられているため、破砕片から剥離した汚れが遠心力と吸引力によって速やかにフィルタを通過し、破砕片と汚れがフィルタを介して分離することが促され、破砕片の洗浄効果を高められる。
【００１３】
第２の発明によると、樹脂フィルムが入口から洗浄空間を通って出口へと向かう過程で、破砕片が回動突起と固定突起に繰り返し衝突し、この衝突時に生じる衝撃摩擦力によって破砕片の表面に付いた汚れが剥離される。
【００１４】
第３の発明によると、固定突起が回動突起の間に突出することにより、樹脂フィルムが回動突起と固定突起に衝突する回数を大幅に増やし、樹脂フィルムの表面に付いた汚れを剥離する効果を高められる。
【００１５】
第４の発明によると、多孔板と支持板部がフィルタの周方向と軸方向のそれぞれについて交互に並ぶ千鳥状に配置されることにより、フィルタの強度を十分に確保できる
第５の発明によると、ケースを開けてドラム、洗浄空間の点検作業や修理を容易に行うことができる。
【発明を実施するための最良の形態】
【００１６】
以下、本発明の実施の形態を添付図面に基づいて説明する。
【００１７】
図１は本発明の樹脂フィルムの乾式洗浄機１を主体とした使用済みの農業用のポリエチレン製シート（以下、農ポリと呼ぶ）のリサイクルシステムを示す。
【００１８】
図示しない粉砕器によって数十〜百ｍｍ程度の大きさに破砕された農ポリは、図示しない定量投入機によって洗浄機１の入口２に圧送される。投入された農ポリは洗浄機１にて高速回転するドラム３に設けられる多数のピンが樹脂フィルムに衝突する衝撃摩擦力によって汚れを剥離させる。
【００１９】
剥離した汚れからなる粉塵はフィルタ４０を通して吸引され、ブロア８１を介して集塵機８２へと送られ、この集塵機８２を介して回収される。
【００２０】
洗浄機１にて汚れが落とされた農ポリは、出口４からサイクロン８０へと吸引され、サイクロン８０にて研磨粉を遠心力によって分離した後、サイクロン８０から洗浄品として送り出され、洗浄作業を終了する。
【００２１】
この洗浄品は例えば溶融機によってポリエチレンのブロックに固められ、再生材料として出荷される。
【００２２】
図２〜図６は洗浄機１の具体的構造を示す。洗浄機１は、高速回転するドラム３と、このドラム３から突出する多数の回動突起７と、ドラム３のまわり画成される洗浄空間８と、この洗浄空間８の一端部に開口して農ポリを導入する入口２と、洗浄空間８の他端部に開口して農ポリの破砕片を排出する出口４と、洗浄空間８のまわりに配置される上下のフィルタ４０と、このフィルタ４０を通過した分離物を吸引する上下の吸引口１１，１２とを備える。
【００２３】
洗浄機１は円筒状のケース２１と、このケース２１を支持する架台２０と、このケース２１の中心に軸受２４，２５を介して回転可能に支持される回転軸２３とを備え、この回転軸３に円筒状のドラム３が連結される。
【００２４】
図３〜図５に示すように、架台２０には電動モータ２９が搭載され、このモータ２９の回転がプーリ２８、ベルト２７、プーリ２６を介して回転軸２３に伝えられる。これにより、ドラム３が高速回転するようになっている。
【００２５】
図２に示すように、洗浄空間８を囲むケース２１は半円筒状をした上ケース１８と下ケース１９に分割される。上ケース１８は下ケース１９にヒンジ１６を介して開閉可能に支持され、油圧シリンダ１７を介して開閉駆動される。これにより、上ケース１８を開けて、ドラム３や洗浄空間８の点検作業や修理を容易に行うことができる。
【００２６】
上下ケース１８，１９には上下のフィルタ４０を囲む上下ダクト１４，１５が結合され、この上下ダクト１４，１５の上下端に下の吸引口１１，１２がそれぞれ開口している。図５に示すように、上下ダクト１４，１５によってフィルタ４０のまわりに吸引空間１３が画成される。
【００２７】
図６の（ａ），（ｂ），（ｃ）に示すように、洗浄空間８はドラム３とケース２１の間に円筒状に画成される。入口２は洗浄空間８の上部に開口し、洗浄空間８の環状断面に対して接線方向に延びている。出口４は洗浄空間８の下部に開口し、洗浄空間８の環状断面に対して接線方向に延びている。ドラム３は図６の（ａ）に矢印で示す反時計回り方向に回動し、ドラム３の回転によって洗浄空間８に生起される旋回流に対して入口２及び出口４の流れが沿うようになっている。これにより、農ポリの破砕片が洗浄空間８に円滑に出入りすることができる。
【００２８】
ドラム３には多数の回動突起７がドラム３の周方向と軸方向についてそれぞれ略一定の間隔を持って設けられる。
【００２９】
ケース２１には洗浄空間８に突出する多数の固定突起３０が設けられる。この固定突起３０はケース２１の周方向と軸方向についてそれぞれ略一定の間隔を持って設けられる。
【００３０】
固定突起３０は回動突起７の間に突出するように配置される。この固定突起３０は櫛状のプレート３１に一体形成される。固定突起３０は回動突起７にオーバラップする高さをもって突出し、各固定突起３０の間に形成される凹部３２を回動突起７が通過するようになっている。
【００３１】
図４に示すように、フィルタ４０はケース２１の上下ダクト１４，１５に囲まれる部位に設けられる。フィルタ４０はケース２１に沿って断面円弧状に湾曲して結合される基板４１と、この基板４１に形成された開口部に介装される複数の多孔板４３とを備える。多孔板４３は金属板に多数の孔が開口したパンチングメタル等が用いられる。
【００３２】
多孔板４３は略矩形に形成され、基板４１に対して千鳥状に配置される。多孔板４３は周方向に略一定の間隔を持って並び、基板４１には周方向について隣り合う多孔板４３の間に残された支持板部４４が多孔板４３の周方向の幅より大きく形成される。多孔板４３は軸方向に略一定の間隔を持って並び、軸方向について隣り合う多孔板４３が互いにオフセットされる。こうして、フィルタ４０は多孔板４３と支持板部４４が周方向と軸方向のそれぞれについて交互に並ぶ千鳥状に配置されることにより、フィルタ４０の強度を十分に確保できる。
【００３３】
以上のように構成されて、次に作用について説明する。
【００３４】
農ポリの破砕片が入口２から洗浄空間８を通って出口４へと向かう過程で、破砕片が回動突起７と固定突起３０に繰り返し衝突し、この衝突時に生じる衝撃摩擦力によって破砕片の表面に付いた汚れが剥離される。
【００３５】
固定突起３０が回動突起７の間に突出することにより、破砕片が回動突起７と固定突起３０に衝突する回数を大幅に増やし、破砕片の表面に付いた汚れを剥離する効果を高められる。
【００３６】
農ポリの破砕片から剥離した汚れからなる粉塵は洗浄空間８を囲むフィルタ４０を通して吸引される。フィルタ４０が洗浄空間８に面して設けられているため、破砕片から剥離した汚れが遠心力と吸引力によって速やかにフィルタ４０を通過し、破砕片と汚れがフィルタ４０を介して分離することが促され、破砕片の洗浄効果を高められる。
【００３７】
本発明は上記の実施の形態に限定されずに、その技術的な思想の範囲内において種々の変更がなしうることは明白である。
【産業上の利用可能性】
【００３８】
本発明の樹脂フィルムの洗浄機は、畑等で使用される農業用のポリエチレン製シート以外の例えば塩化ビニール製シート等他の合成樹脂製シートのリサイクルシステムにも適用できる。
【図面の簡単な説明】
【００３９】
【図１】本発明の実施の形態を示し、洗浄機を用いたリサイクルシステムを示す構成図。
【図２】本発明の実施の形態を示す洗浄機の正面図。
【図３】同じく図２のＡ−Ａ線に沿う断面図。
【図４】同じく洗浄機の平面図。
【図５】同じく図４のＢ−Ｂ線に沿う断面図。
【図６】同じく（ａ）は図３のＣ−Ｃ線に沿う断面図、（ｂ）は（ａ）のＤ−Ｄ線に沿う断面図、（ｃ）は（ａ）のＥ−Ｅ線に沿う断面図である。
【図７】従来例を示す洗浄機の断面図。
【符号の説明】
【００４０】
１  洗浄機
２  入口
３  ドラム
４  出口
７  回動突起
８  洗浄空間
２３  回転軸
２１  ケース
３０  固定突起
４０  フィルタ
４３  多孔板
４４  支持板部
【図１】
2005081614.tif 000003
【図２】
2005081614.tif 000004
【図３】
2005081614.tif 000005
【図４】
2005081614.tif 000006
【図５】
2005081614.tif 000007
【図６】
2005081614.tif 000008
【図７】
2005081614.tif 000009